(57)【要約】      （修正有）【課題】人体の隅々まで洗浄可能で、且つ、シャワー以外の洗浄効果を発揮させる。【解決手段】筐体を開閉及び防水する手段を備えた筐体２と、前記筐体内部で立位の人体の首・肩部、胸・胴・臀部及び脚部の前後に対向する位置をそれぞれ個別に縦方向へ昇降可能な昇降手段を備えた洗浄子取付金具と、前記洗浄子取付金具に前記人体の首・肩部、胸・胴・臀部及び脚部を部位別にそれぞれ被うことが可能な複数の洗浄子７と、前記洗浄子から温水、石鹸水、温風等をシャワーリングする温水・石鹸水・温風シャワーリング手段１３，１４，１５とを備える人体洗浄装置１において、人体それぞれの部位を温水シャワーリング、石鹸水シャワーリング、マッサージ洗浄、温水シャワーリング及び温風シャワーリング行程を経て、全身を隅々まで自動的に洗浄する。【選択図】図２
0003130107.tif 000002
【実用新案登録請求の範囲】
【請求項１】
筐体を開閉及び防水する手段を備えた筐体（２）と、前記筐体（２）内部で立位の人体の首・肩部、胸・胴・臀部及び脚部の前後に対向する位置をそれぞれ個別に縦方向へ昇降可能な昇降手段（５ａ〜５ｆ）を備えた洗浄子取付金具（６ａ〜６ｆ）と、前記洗浄子取付金具（６ａ〜６ｆ）に前記人体の首・肩部、胸・胴・臀部及び脚部を部位別にそれぞれ被うことが可能な複数の洗浄子（７ａ〜７ｆ）と、前記洗浄子（７ａ〜７ｆ）から温水、石鹸水、温風等をシャワーリングする温水・石鹸水・温風シャワーリング手段（１３）（１４）（１５）とを備える人体洗浄装置（１）において、人体それぞれの部位を温水シャワーリング、石鹸水シャワーリング、マッサージ洗浄、温水シャワーリング及び温風シャワーリング行程を経て、全身を隅々まで自動的に洗浄することを特徴とする人体洗浄装置。
【請求項２】
人体の首・肩部、胸・胴・臀部及び脚部を縦方向に移動しながら洗浄する洗浄子（７ａ〜７ｆ）が、体形に合わせて伸縮自在にフィットする体形フィット手段（１６ａ〜１６ｆ）を備えることを特徴とする請求項１記載の人体洗浄装置。
【請求項３】
人体の首・肩部、胸・胴・臀部及び脚部を縦方向に移動しながら洗浄する洗浄子（７ａ〜７ｆ）が、横方向に揺動或いは振動しながら身体各部を洗浄する洗浄子揺動・振動手段（１７ａ〜１７ｆ）を備えることを特徴とする請求項１乃至２記載の人体洗浄装置。
【請求項４】
人体の首・肩部、胸・胴・臀部及び脚部を縦方向に移動しながら洗浄する洗浄子に圧力センサーが設けてあり、前記洗浄子で人体各部を洗浄するとき、前記人体の首・肩部、胸・胴・臀部及び脚部を押し付ける力をそれぞれ個別且つ任意に制御する洗浄子押し付け力制御手段（１８ａ〜１８ｆ）を備えることを特徴とする請求項１乃至３記載の人体洗浄装置。
【請求項５】
人体洗浄装置から人体頭部が装置外にでるよう、人体を昇降可能な人体昇降手段（５ｇ）（５ｈ）を備えることを特徴とする請求項１乃至４記載の人体洗浄装置。
【請求項６】
立位の姿勢維持が困難な人体を、立位状態に維持できるよう、脇の下又は股下の何れか一方又は両方に人体を支持する人体支持手段（１９）を備えることを特徴とする請求項１乃至５記載の人体洗浄装置。
【請求項７】
人体洗浄装置内部の人体と対向する位置に、人体を温めるための遠赤外線ヒーター等の人体温熱手段（２０ａ〜２０ｄ）を備えることを特徴とする請求項１乃至６記載の人体洗浄装置。
【請求項８】
人体洗浄装置の筐体上部から人体頭部が出ている部分に、人体洗浄中の人が音楽や映像を楽しめるようオーディオビジュアル装置（２１）を備えることを特徴とする請求項１乃至７記載の人体洗浄装置。
【考案の詳細な説明】
【技術分野】
【０００１】本考案は、人間の最も楽しみの一つとする入浴或いはリラクゼーション分野に関するものである。
【背景技術】
【０００２】
【特許文献１】特許出願２００４−０３６３１４号公報
【特許文献２】特許出願２００３−３６５２０１号公報
【特許文献１】特許出願２００４−０３６３１４号公報
【特許文献２】特許出願２００３−３６５２０１号公報
【特許文献５】特許出願２０００−１９６２３５号公報
【特許文献６】特許出願平１１−２４６３８３号公報
【特許文献７】特許出願平１１−１６４６０５号公報
【０００３】（特許文献１）特許出願２００４−０３６３１４号公報では、入浴者が座部に着席して座部や背もたれ部から温水や温風を噴出せしめて人体を洗浄することが、（特許文献２）特許出願２００３−３６５２０１号公報では、人体の背中を筒柱状の洗浄体を往復回転運動せしめて人体を洗浄せしめることが、それぞれ提案されている。しかし、これらは何れも洗浄範囲が人体のごく限られた部位に止まっており、人体全体をくまなく洗浄できるものではない。【０００４】（特許文献１）特許出願２００４−０３６３１４号公報では、気体により粒体を噴流化して人体を満遍なく洗浄する方法が、（特許文献２）特許出願２００３−３６５２０１号公報では小型化した装置で身体の種々の部位を洗浄することが、それぞれ提案されている。しかし、前者は噴流化した粒体が人体の隅々まで流動して洗浄することは困難であり、粒体の性質上、流れやすい部分のみを流動化してしまうことを否めない。また、後者の場合は小型化した装置なので、第三者の手を借りずに全身の隅々まで洗浄することが困難なことは説明を要すまい。【０００５】（特許文献５）特許出願２０００−１９６２３５号公報では、床面設置型の身体洗浄装置が、（特許文献６）特許出願平１１−２４６３８３号公報では、洗液と粒体との協同作業により身体を洗浄する方法が、それぞれ提案されている。しかし、前者の提案は（特許文献２）特許出願２００３−３６５２０１号公報同様に身体の洗浄できる部位がきわめて限定的であり、後者の提案は（特許文献１）特許出願２００４−０３６３１４号公報同様に粒体性質上の問題を解決されていないところに問題点がある。【０００６】（特許文献７）特許出願平１１−１６４６０５号公報では、横臥状態での身体洗浄装置が提案されている。この装置は、横臥状態の身体をシャワー装置で洗浄する方式をとっており、身体支持手段によっては身体の隅々までシャワー効果をもたらすことは期待できるものの、身体洗浄手段はシャワー装置に限定されており、シャワー効果以外は何も期待できないところに問題点がある。
【考案の開示】
【考案が解決しようとする課題】
【０００７】上述の如く従来の身体洗浄装置は、洗浄手段が機械式のものは人体のごく限られた部分しか洗浄できず、流動式のものは粒体の性質上から流動しやすい箇所のみを流動するため洗浄効果に疑問があり、横臥式のものは人体支持手段によっては人体の隅々までシャワー効果は期待できるものの、洗浄手段がシャワーのみなのでシャワー効果以外の何ものも期待できないところに問題点があったが、本考案では人体の隅々まで洗浄可能、且つ、シャワー以外の洗浄効果を発揮するところに課題がある。
【課題を解決するための手段】
【０００８】本考案の課題解決手段について説明する。
請求項１の考案においては、
筐体を開閉及び防水する手段を備えた筐体（２）と、前記筐体（２）内部で立位の人体の首・肩部、胸・胴・臀部及び脚部の前後に対向する位置をそれぞれ個別に縦方向へ昇降可能な昇降手段（５ａ〜５ｆ）を備えた洗浄子取付金具（６ａ〜６ｆ）と、前記洗浄子取付金具（６ａ〜６ｆ）に前記人体の首・肩部、胸・胴・臀部及び脚部を部位別にそれぞれ被うことが可能な複数の洗浄子（７ａ〜７ｆ）と、前記洗浄子（７ａ〜７ｆ）から温水、石鹸水、温風等をシャワーリングする温水・石鹸水・温風シャワーリング手段（１３）（１４）（１５）とを備える人体洗浄装置（１）において、人体それぞれの部位を温水シャワーリング、石鹸水シャワーリング、マッサージ洗浄、温水シャワーリング及び温風シャワーリング行程を経て、全身を隅々まで自動的に洗浄する人体洗浄装置であることを特徴とする。【０００９】請求項２の考案においては、
人体の首・肩部、胸・胴・臀部及び脚部を縦方向に移動しながら洗浄する洗浄子（７ａ〜７ｆ）が、体形に合わせて伸縮自在にフィットする体形フィット手段（１６ａ〜１６ｆ）を備える請求項１記載の人体洗浄装置であることを特徴とする。【００１０】請求項３の考案においては、
人体の首・肩部、胸・胴・臀部及び脚部を縦方向に移動しながら洗浄する洗浄子（７ａ〜７ｆ）が、横方向に揺動或いは振動しながら身体各部を洗浄する洗浄子揺動・振動手段（１７ａ〜１７ｆ）を備える請求項１乃至２記載の人体洗浄装置であることを特徴とする。【００１１】請求項４の考案においては、
人体の首・肩部、胸・胴・臀部及び脚部を縦方向に移動しながら洗浄する洗浄子に圧力センサーが設けてあり、前記洗浄子で人体各部を洗浄するとき、前記人体の首・肩部、胸・胴・臀部及び脚部を押し付ける力をそれぞれ個別且つ任意に制御する洗浄子押し付け力制御手段（１８ａ〜１８ｆ）を備える請求項１乃至３記載の人体洗浄装置であることを特徴とする。【００１２】請求項５の考案においては、
人体洗浄装置から人体頭部が装置外にでるよう、人体を昇降可能な人体昇降手段（５ｇ）（５ｈ）を備える請求項１乃至４記載の人体洗浄装置であることを特徴とする。【００１３】請求項６の考案においては、
立位の姿勢維持が困難な人体を、立位状態に維持できるよう、脇の下又は股下の何れか一方又は両方に人体を支持する人体支持手段（１９）を備える請求項１乃至５記載の人体洗浄装置であることを特徴とする。【００１４】請求項７の考案においては、
人体洗浄装置内部の人体と対向する位置に、人体を温めるための遠赤外線ヒーター等の人体温熱手段（２０ａ〜２０ｄ）を備える請求項１乃至６記載の人体洗浄装置であることを特徴とする。【００１５】請求項８の考案においては、
人体洗浄装置の筐体上部から人体頭部が出ている部分に、人体洗浄中の人が音楽や映像を楽しめるようオーディオビジュアル装置（２１）を備えることを特徴とする請求項１乃至７記載の人体洗浄装置。
【考案の効果】
【００１６】従来の人体洗浄装置は、洗浄手段が機械式のものは人体のごく限られた部分しか洗浄できず、流動式のものは粒体の性質上から流動しやすい箇所のみを流動するため洗浄効果に疑問があり、横臥式のものは人体支持手段によっては人体の隅々までシャワー効果は期待できるものの、洗浄手段がシャワーのみなのでシャワー効果以外の何ものも期待できないところに問題点があったが、本考案では、体形フィット型の洗浄子による温水シャワーリング、石鹸水シャワーリング、温風シャワーリング手段によって人体の隅々まで洗浄可能となり、且つ、洗浄子の上下動と左右方向の揺動或いは振動との複合動作によるマッサージにより、単なる人体の洗浄のみならずリラクゼーション効果や体脂肪燃焼効果が期待でき、一般家庭は言うに及ばずスパ、スポーツジム、フィットネス倶楽部、ホテル、リゾート施設、病院、老人ホーム、介護施設等々幅広い分野での活用が期待できる画期的な人体洗浄装置である。
【考案を実施するための最良の形態】
【００１７】考案を実施するための最良の形態について説明する。
［図１］に本考案の具体的態様を示す立面図を、［図２］に本考案の具体的態様を示すＡ−Ａ断面図を、［図３］に本考案の具体的態様を示すＢ−Ｂ断面図を、［図４］に本考案の具体的態様を示すＣ−Ｃ断面図を、［図５］に本考案の具体的態様を示すＤ−Ｄ断面図を、［図６］に本考案の具体的態様を示すＥ−Ｅ断面図を、［図７］に本考案の具体的態様を示すＦ−Ｆ断面図を、［図８］に本考案の具体的態様を示すＧ−Ｇ断面図を、［図９］に本考案の具体的態様を示すＨ−Ｈ断面図を、［図１０］に本考案の具体的態様を示す配管系統図を、それぞれ示す。
【実施例】
【００１８】本考案の実施例の具体的態様を［図１］［図２］に基づいて説明する。
人体洗浄装置（１）には、筐体を開閉及び防水する手段を備えた筐体（２）と、前記筐体（２）内部で立位の人体の首・肩部、胸・胴・臀部及び脚部の前後に対向する位置をそれぞれ個別に縦方向へ昇降可能な昇降手段（５ａ〜５ｆ）を備えた洗浄子取付金具（６ａ〜６ｆ）と、前記洗浄子取付金具（６ａ〜６ｆ）に前記人体の首・肩部、胸・胴・臀部及び脚部を部位別にそれぞれ被うことが可能な複数の洗浄子（７ａ〜７ｆ）と、前記洗浄子（７ａ〜７ｆ）から温水、石鹸水、温風等をシャワーリングする温水・石鹸水・温風シャワーリング手段（１３）（１４）（１５）とを備える。【００１９】［図１］乃至［図７］に基づいて説明する。
本図は、人体前面に対応する洗浄子昇降手段を説明する図である。
まず、首・肩部を洗浄する洗浄子（７ａ）は支柱（２ａ）に緊結したリニアガイド（３ａ）上を走行自在なリニアガイドベアリング（４ａ）に緊結した洗浄子取付金具（６ａ）に緊結される。
さらに、前記洗浄子（７ａ）にはボールねじナット（１１ａ）が緊結され、前記ボールねじナット（１１ａ）にボールねじ（１０ａ）が回転自在に挿入され、前記ボールねじ（１０ａ）はモーター（９ａ）軸と回転自在に緊結され、前記モーター（９ａ）はモーター取付金具（８ａ）に緊結され、前記モーター取付金具（８ａ）は支柱（２ａ）に緊結され、前記モーター（９ａ）が正回転・反回転することによって前記ボールねじ（１０ａ）が正回転・反回転し、よって前記ボールねじナット（１１ａ）に緊結された洗浄子が昇降することになる。【００２０】次に、根・胴・臀部を洗浄する洗浄子（７ｃ）は支柱（２ａ）に緊結したリニアガイド（３ｃ）上を走行自在なリニアガイドベアリング（４ｃ）に緊結した洗浄子取付金具（６ｃ）に緊結される。
さらに、前記洗浄子（７ｃ）にはボールねじナット（１１ｃ）が緊結され、前記ボールねじナット（１１ｃ）にボールねじ（１０ｃ）が回転自在に挿入され、前記ボールねじ（１０ｃ）はモーター（９ｃ）軸と回転自在に緊結され、前記モーター（９ｃ）はモーター取付金具（８ｃ）に緊結され、前記モーター取付金具（８ｃ）は支柱（２ａ）に緊結され、前記モーター（９ｃ）が正回転・反回転することによって前記ボールねじ（１０ｃ）が正回転・反回転し、よって前記ボールねじナット（１１ｃ）に緊結された洗浄子が昇降することになる。【００２１】次に、脚部を洗浄する洗浄子（７ｅ）は支柱（２ａ）に緊結したリニアガイド（３ｅ）上を走行自在なリニアガイドベアリング（４ｅ）に緊結した洗浄子取付金具（６ｅ）に緊結される。
さらに、前記洗浄子（７ｅ）にはボールねじナット（１１ｅ）が緊結され、前記ボールねじナット（１１ｅ）にボールねじ（１０ｅ）が回転自在に挿入され、前記ボールねじ（１０ｅ）はモーター（９ｅ）軸と回転自在に緊結され、前記モーター（９ｅ）はモーター取付金具（８ｅ）に緊結され、前記モーター取付金具（８ｅ）は支柱（２ａ）に緊結され、前記モーター（９ｅ）が正回転・反回転することによって前記ボールねじ（１０ｅ）が正回転・反回転し、よって前記ボールねじナット（１１ｅ）に緊結された洗浄子が昇降することになる。【００２２】では、人体後面に対応する洗浄子昇降手段について説明する。
まず、首・肩部を洗浄する洗浄子（７ｂ）は支柱（２ａ）に緊結したリニアガイド（３ｂ）上を走行自在なリニアガイドベアリング（４ｂ）に緊結した洗浄子取付金具（６ｂ）に緊結される。
さらに、前記洗浄子（７ｂ）にはボールねじナット（１１ｂ）が緊結され、前記ボールねじナット（１１ｂ）にボールねじ（１０ｂ）が回転自在に挿入され、前記ボールねじ（１０ｂ）はモーター（９ｂ）軸と回転自在に緊結され、前記モーター（９ｂ）はモーター取付金具（８ｂ）に緊結され、前記モーター取付金具（８ｂ）は支柱（２ｂ）に緊結され、前記モーター（９ｂ）が正回転・反回転することによって前記ボールねじ（１０ｂ）が正回転・反回転し、よって前記ボールねじナット（１１ｂ）に緊結された洗浄子が昇降することになる。【００２３】次に、根・胴・臀部を洗浄する洗浄子（７ｄ）は支柱（２ｂ）に緊結したリニアガイド（３ｄ）上を走行自在なリニアガイドベアリング（４ｄ）に緊結した洗浄子取付金具（６ｄ）に緊結される。
さらに、前記洗浄子（７ｄ）にはボールねじナット（１１ｄ）が緊結され、前記ボールねじナット（１１ｄ）にボールねじ（１０ｄ）が回転自在に挿入され、前記ボールねじ（１０ｄ）はモーター（９ｄ）軸と回転自在に緊結され、前記モーター（９ｄ）はモーター取付金具（８ｄ）に緊結され、前記モーター取付金具（８ｄ）は支柱（２ｂ）に緊結され、前記モーター（９ｄ）が正回転・反回転することによって前記ボールねじ（１０ｄ）が正回転・反回転し、よって前記ボールねじナット（１１ｄ）に緊結された洗浄子が昇降することになる。【００２４】次に、脚部を洗浄する洗浄子（７ｆ）は支柱（２ｂ）に緊結したリニアガイド（３ｆ）上を走行自在なリニアガイドベアリング（４ｆ）に緊結した洗浄子取付金具（６ｆ）に緊結される。
さらに、前記洗浄子（７ｆ）にはボールねじナット（１１ｆ）が緊結され、前記ボールねじナット（１１ｆ）にボールねじ（１０ｆ）が回転自在に挿入され、前記ボールねじ（１０ｆ）はモーター（９ｆ）軸と回転自在に緊結され、前記モーター（９ｆ）はモーター取付金具（８ｆ）に緊結され、前記モーター取付金具（８ｆ）は支柱（２ｂ）に緊結され、前記モーター（９ｆ）が正回転・反回転することによって前記ボールねじ（１０ｆ）が正回転・反回転し、よって前記ボールねじナット（１１ｆ）に緊結された洗浄子が昇降することになる。【００２５】では次に、人体洗浄行程について説明する。
人体洗浄行程は、人体洗浄装置（１）の制御装置（２２）により、自動的に温水シャワーリング行程、石鹸水シャワーリング行程、マッサージ洗浄行程、温水シャワーリング行程、温風シャワーリング行程の順に進み１サイクルを完了せしめる。【００２６】まず、温水シャワーリング行程について説明する。
人が人体洗浄装置（１）に入り、前記人体洗浄装置（１）の筐体開閉手段（２ｃ）により筐体（２）を閉じると、自動的に人体洗浄行程が開始する。
初めに、温水シャワーリング手段（１３）のバルブ（１３ａ）が開き、洗浄子昇降手段（５ａ〜５ｆ）により洗浄子（７ａ〜７ｆ）を昇降せしめながら、前記洗浄子（７ａ〜７ｆ）から人体目掛けて温水が一定時間シャワーリングされ人体が満遍なく湿潤せしめられる。【００２７】次に、石鹸水シャワーリング行程について説明する。
上述の温水シャワーリング行程が完了するとバルブ（１３ａ）が閉じ、次いで石鹸水シャワーリング手段（１４）のバルブ（１４ａ）が開き、洗浄子昇降手段（５ａ〜５ｆ）により洗浄子（７ａ〜７ｆ）を昇降せしめながら、前記洗浄子（７ａ〜７ｆ）から人体目掛けて石鹸水が一定時間シャワーリングされ、人体に満遍なく石鹸水が塗布される。【００２８】次に、マッサージ洗浄行程について説明する。
上述の石鹸水シャワーリング行程が完了するとバルブ（１４ａ）が閉じ、次いで洗浄子昇降手段（５ａ〜５ｆ）と洗浄子揺動・振動手段（１７ａ〜１７ｆ）との連携によりマッサージ洗浄行程が一定時間開始する。前記洗浄子昇降手段（５ａ〜５ｆ）の昇降動作は二歩上昇一歩下降を繰り返せば洗浄子（７ａ〜７ｆ）が上昇し、二歩下降一歩上昇を繰り返せば洗浄子（７ａ〜７ｆ）は下降する。この時、洗浄子揺動・振動手段（１７ａ〜１７ｆ）を動作せしめれば心地よいマッサージ効果が得られる。【００２９】上述のマッサージ洗浄行程では、行程の途中で温水シャワーリング行程と石鹸水シャワーリング行程とを適宜挿入することができる。このようにすると皮膚の泡立ちが途切れることがないので、さらに心地よいマッサージ効果が得られることになる。【００３０】次に、温水シャワーリング行程について説明する。
上述のマッサージ洗浄行程が完了すると、皮膚に付着している石鹸水を洗い落とすため温水シャワーリング手段（１３）のバルブ（１３ａ）が開き、洗浄子昇降手段（５ａ〜５ｆ）により洗浄子（７ａ〜７ｆ）を昇降せしめながら、前記洗浄子（７ａ〜７ｆ）から人体目掛けて温水が一定時間シャワーリングされ、人体に付着した石鹸水はきれいに洗い落とされる。【００３１】次に、温風シャワーリング行程について説明する。
上述の温水シャワーリング行程が完了すると、皮膚に付着している水分を乾燥せしめるため温風シャワーリング手段（１５）のバルブ（１５ａ）が開き、洗浄子昇降手段（５ａ〜５ｆ）により洗浄子（７ａ〜７ｆ）を昇降せしめながら、前記洗浄子（７ａ〜７ｆ）から人体目掛けて温風が一定時間シャワーリングされ、人体に付着した水分はきれいに乾燥せしめられる。【００３２】本考案の他の実施例について説明する。
他の実施例では、人体の首・肩部、胸・胴・臀部及び脚部を縦方向に移動しながら洗浄する洗浄子（７ａ〜７ｆ）が、体形に合わせて伸縮自在にフィットする体形フィット手段（１６ａ〜１６ｆ）を備える。
体形フィット手段（１６ａ〜１６ｆ）とは、洗浄子（７ａ〜７ｆ）の一部又は全部がリニアガイド（３ａ）（３ｂ）の軸方向と直交する方向に伸縮し、人体にフィットせしめる機能をいう。本考案の実施例では、伸縮材として板状スプリングを使用した。【００３３】また、人体の首・肩部、胸・胴・臀部及び脚部を縦方向に移動しながら洗浄する洗浄子（７ａ〜７ｆ）が、横方向に揺動或いは振動しながら身体各部を洗浄する洗浄子揺動・振動手段（１７ａ〜１７ｆ）を備える。
洗浄子揺動・振動手段（１７ａ〜１７ｆ）は、リニアガイドベアリング（４ａ〜４ｆ）に緊結された洗浄子取付金具（６ａ〜６ｆ）と洗浄子（７ａ〜７ｆ）との間に配され、リニアガイド（３ａ）（３ｂ）と直角方向に揺動或いは振動せしめる。【００３４】また、人体の首・肩部、胸・胴・臀部及び脚部を縦方向に移動しながら洗浄する洗浄子に圧力センサーが設けてあり、前記洗浄子で人体各部を洗浄するとき、前記人体の首・肩部、胸・胴・臀部及び脚部を押し付ける力をそれぞれ個別且つ任意に制御する洗浄子押し付け力制御手段（１８ａ〜１８ｆ）を備える。
洗浄子押し付け圧力制御手段は、リニアガイドベアリング（４ａ〜４ｆ）に緊結された洗浄子取付金具（６ａ〜６ｆ）と緊結した洗浄子揺動・振動手段（１７ａ〜１７ｆ）と洗浄子（７ａ〜７ｆ）との間に配され、人体に前記洗浄子（７ａ〜７ｆ）を押し付ける圧力を任意に制御する手段である。【００３５】また、人体洗浄装置から人体頭部が装置外にでるよう、人体を昇降可能な人体昇降手段（５ｇ）（５ｈ）を備える。
では、身長の高低差対応方法について［図８］を加えて説明する。
身長の高低差を調節する踏み台（７ｇ）は支柱（２ａ）に緊結したリニアガイド（３ｇ）上を走行自在なリニアガイドベアリング（４ｇ）に緊結した踏み台取付金具（６ｇ）に緊結される。
さらに、前記踏み台（７ｇ）にはボールねじナット（１１ｇ）が緊結され、前記ボールねじナット（１１ｇ）にボールねじ（１０ｇ）が回転自在に挿入され、前記ボールねじ（１０ｇ）はモーター（９ｇ）軸と回転自在に緊結され、前記モーター（９ｇ）はモーター取付金具（８ｇ）に緊結され、前記モーター取付金具（８ｇ）は支柱（２ａ）に緊結され、前記モーター（９ｇ）が正回転・反回転することによって前記ボールねじ（１０ｇ）が正回転・反回転し、よって前記ボールねじナット（１１ｇ）に緊結された踏み台が昇降することになる。【００３６】身長の高低差を調節する踏み台は人体後面にも設けられている。
踏み台（７ｈ）は支柱（２ｂ）に緊結したリニアガイド（３ｈ）上を走行自在なリニアガイドベアリング（４ｈ）に緊結した踏み台取付金具（６ｈ）に緊結される。
さらに、前記踏み台（７ｈ）にはボールねじナット（１１ｈ）が緊結され、前記ボールねじナット（１１ｈ）にボールねじ（１０ｈ）が回転自在に挿入され、前記ボールねじ（１０ｈ）はモーター（９ｈ）軸と回転自在に緊結され、前記モーター（９ｈ）はモーター取付金具（８ｈ）に緊結され、前記モーター取付金具（８ｈ）は支柱（２ｂ）に緊結され、前記モーター（９ｈ）が正回転・反回転することによって前記ボールねじ（１０ｈ）が正回転・反回転し、よって前記ボールねじナット（１１ｈ）に緊結された踏み台が昇降することになる。この時、前後の踏み台（７ｇ）（７ｈ）を昇降させるモーター（９ｇ）（９ｈ）同士は同期運転させるので、前記踏み台（７ｇ）（７ｈ）は隙間を生じることなく安全に昇降せしめることができる。【００３７】［図９］を加えて説明する。
立位の姿勢維持が困難な人体を、立位状態に維持できるよう、脇の下又は股下の何れか一方又は両方に人体を支持する人体支持手段（１９）を備える。
立位の姿勢維持が困難な人は、介助者の手助け等により人体洗浄装置（１）に入ると、介助者が手動操作により支持具昇降手段（５ｉ）を昇降せしめ、前記支持具昇降手段（５ｉ）に緊結してある支持具（７ｉ）により人体を支持し、人体の立位姿勢を安定維持することができる。【００３８】また、人体洗浄装置内部の人体と対向する位置に、人体を温めるための遠赤外線ヒーター等の人体温熱手段（２０ａ〜２０ｄ）を備える。
洗浄行程が完了すると、人体の積極的温熱のため人体温熱手段（２０ａ〜２０ｄ）を起動し、人体を温熱することができる。本考案の実施例では、人体温熱手段（２０ａ〜２０ｄ）に遠赤外線ヒーターを使用し、人体の深部まで温熱できるようにした。【００３９】また、人体洗浄装置の筐体上部から人体頭部が出ている部分に、人体洗浄中の人が音楽や映像を楽しめるようオーディオビジュアル装置（２１）を備える。
本考案の実施例では、オーディオビジュアル装置に７インチ液晶テレビを設け、人体洗浄中の人がテレビを楽しめるようにした。
【産業上の利用可能性】
【００４０】
【００４１】従来の人体洗浄装置は、洗浄手段が機械式のものは人体のごく限られた部分しか洗浄できず、流動式のものは粒体の性質上から流動しやすい箇所のみを流動するため洗浄効果に疑問があり、横臥式のものは人体支持手段によっては人体の隅々までシャワー効果は期待できるものの、洗浄手段がシャワーのみなのでシャワー効果以外の何ものも期待できないところに問題点があったが、本考案によって、体形フィット型の洗浄子による温水シャワーリング、石鹸水シャワーリング、温風シャワーリング手段によって人体の隅々まで洗浄可能となり、且つ、洗浄子の上下動と左右方向の揺動或いは振動との複合動作によるマッサージにより、単なる人体の洗浄のみならずリラクゼーション効果や体脂肪燃焼効果が期待でき、一般家庭は言うに及ばずスパ、スポーツジム、フィットネス倶楽部、ホテル、リゾート施設、病院、老人ホーム、介護施設等々幅広い分野での活用が期待できる。
【図面の簡単な説明】
【００４２】
【図１】は、本考案の具体的態様を示す立面図である。
【図２】は、本考案の具体的態様を示すＡ−Ａ断面図である。
【図３】は、本考案の具体的態様を示すＢ−Ｂ断面図である。
【図４】は、本考案の具体的態様を示すＣ−Ｃ断面図である。
【図５】は、本考案の具体的態様を示すＤ−Ｄ断面図である。
【図６】は、本考案の具体的態様を示すＥ−Ｅ断面図である。
【図７】は、本考案の具体的態様を示すＦ−Ｆ断面図である。
【図８】は、本考案の具体的態様を示すＧ−Ｇ断面図である。
【図９】は、本考案の具体的態様を示すＨ−Ｈ断面図である。
【図１０】は、本考案の具体的態様を示す配管系統図である。
【符号の説明】
【００４３】１                人体洗浄装置
２                筐体
２ａ              支柱
２ｂ              支柱
２ｃ              筐体開閉手段
３ａ              リニアガイド
３ｂ              リニアガイド
３ｃ              リニアガイド
３ｄ              リニアガイド
４ａ              リニアガイドベアリング
４ｂ              リニアガイドベアリング
４ｃ              リニアガイドベアリング
４ｄ              リニアガイドベアリング
４ｅ              リニアガイドベアリング
４ｆ              リニアガイドベアリング
４ｇ              リニアガイドベアリング
４ｈ              リニアガイドベアリング
４ｉ              リニアガイドベアリング
５ａ              洗浄子昇降手段
５ｂ              洗浄子昇降手段
５ｃ              洗浄子昇降手段
５ｄ              洗浄子昇降手段
５ｅ              洗浄子昇降手段
５ｆ              洗浄子昇降手段
５ｇ              踏み台昇降手段
５ｈ              踏み台昇降手段
５ｉ              支持具昇降手段
６ａ              洗浄子取付金具
６ｂ              洗浄子取付金具
６ｃ              洗浄子取付金具
６ｄ              洗浄子取付金具
６ｅ              洗浄子取付金具
６ｆ              洗浄子取付金具
６ｇ              踏み台取付金具
６ｈ              踏み台取付金具
６ｉ              支持具取付金具
７ａ              洗浄子
７ｂ              洗浄子
７ｃ              洗浄子
７ｄ              洗浄子
７ｅ              洗浄子
７ｆ              洗浄子
７ｇ              踏み台
７ｈ              踏み台
７ｉ              支持具
８ａ              モーター取付金具
８ｂ              モーター取付金具
８ｃ              モーター取付金具
８ｄ              モーター取付金具
８ｅ              モーター取付金具
８ｆ              モーター取付金具
８ｇ              モーター取付金具
８ｈ              モーター取付金具
８ｉ              モーター取付金具
９ａ              モーター
９ｂ              モーター
９ｃ              モーター
９ｄ              モーター
９ｅ              モーター
９ｆ              モーター
９ｇ              モーター
９ｈ              モーター
９ｉ              モーター
１０ａ            ボールねじ
１０ｂ            ボールねじ
１０ｃ            ボールねじ
１０ｄ            ボールねじ
１０ｅ            ボールねじ
１０ｆ            ボールねじ
１０ｇ            ボールねじ
１０ｈ            ボールねじ
１０ｉ            ボールねじ
１１ａ            ボールねじナット
１１ｂ            ボールねじナット
１１ｃ            ボールねじナット
１１ｄ            ボールねじナット
１１ｅ            ボールねじナット
１１ｆ            ボールねじナット
１１ｇ            ボールねじナット
１１ｈ            ボールねじナット
１１ｉ            ボールねじナット
１２ａ            圧力センサー
１２ｂ            圧力センサー
１２ｃ            圧力センサー
１２ｄ            圧力センサー
１２ｅ            圧力センサー
１２ｆ            圧力センサー
１２ｇ            圧力センサー
１３              温水シャワーリング手段
１３ａ            バルブ
１４              石鹸水シャワーリング手段
１４ａ            バルブ
１５              温風シャワーリング手段
１５ａ            バルブ
１６ａ            体形フィット手段
１６ｂ            体形フィット手段
１６ｃ            体形フィット手段
１６ｄ            体形フィット手段
１６ｅ            体形フィット手段
１６ｆ            体形フィット手段
１７ａ            洗浄子揺動・振動手段
１７ｂ            洗浄子揺動・振動手段
１７ｃ            洗浄子揺動・振動手段
１７ｄ            洗浄子揺動・振動手段
１７ｅ            洗浄子揺動・振動手段
１７ｆ            洗浄子揺動・振動手段
１８ａ            洗浄子押し付け圧力制御手段
１８ｂ            洗浄子押し付け圧力制御手段
１８ｃ            洗浄子押し付け圧力制御手段
１８ｄ            洗浄子押し付け圧力制御手段
１８ｅ            洗浄子押し付け圧力制御手段
１８ｆ            洗浄子押し付け圧力制御手段
１９              人体支持手段
２０ａ            人体温熱手段
２０ｂ            人体温熱手段
２０ｃ            人体温熱手段
２０ｄ            人体温熱手段
２１              オーディオビジュアル装置
２２              制御装置
２３              配管
【図１】
0003130107.tif 000003
【図２】
0003130107.tif 000004
【図３】
0003130107.tif 000005
【図４】
0003130107.tif 000006
【図５】
0003130107.tif 000007
【図６】
0003130107.tif 000008
【図７】
0003130107.tif 000009
【図８】
0003130107.tif 000010
【図９】
0003130107.tif 000011
【図１０】
0003130107.tif 000012